(57)【要約】【課題】  ファンガードやルーバが布団やカーテン等によって閉塞された時、温度過昇防止装置が作動せずに器体が高温の状態で安定してしまった場合、警告を促すとともに強制的に弱燃焼にすることで温風温度を低下させ、器体の異常温度上昇や障害物の異常温度上昇を抑制し、安全性を向上させることを目的とする。【解決手段】  本体１０の内部に設けられたダクト３と、このダクト３内に設けられた燃焼部４と、前記ダクト３に空気を送風するファンモータ２と、前記燃焼部４により暖められた温風の放出部に設けられたルーバ５と、燃焼部４の燃焼量とファンモータ２の送風量を制御する制御部７とを備えた燃焼温風暖房機において、ルーバ５の近傍の上部と下部の少なくとも２箇所以上に温度検知装置８ａ、８ｂを設け、この温度検知装置８ａ、８ｂが所定温度Ｔａ以上を検知したとき、燃焼部４の燃焼量を強制的に弱燃焼に固定して運転するように上記制御部７で制御する。【選択図】  図１
2005090899.tif 000002
【特許請求の範囲】
【請求項１】
本体（１０）の内部に設けられたダクト（３）と、このダクト（３）内に設けられた燃焼部（４）と、前記ダクト（３）に空気を送風するファンモータ（２）と、前記燃焼部（４）により暖められた温風の放出部に設けられたルーバ（５）と、燃焼部（４）の燃焼量とファンモータ（２）の送風量を制御する制御部（７）とを備えた燃焼温風暖房機において、ルーバ（５）の近傍の上部と下部の少なくとも２箇所以上に温度検知装置（８ａ）、（８ｂ）を設け、この温度検知装置（８ａ）、（８ｂ）が所定温度Ｔａ以上を検知したとき、燃焼部（４）の燃焼量を強制的に弱燃焼に固定して運転するように上記制御部（７）で制御することを特徴とする燃焼温風暖房機。
【請求項２】
本体（１０）の外郭に異常警告表示器（９）を設け、温度検知装置（８ａ）、（８ｂ）が所定温度Ｔａ以上を検知したとき、異常警告表示器（９）を点灯するとともに燃焼部（４）の燃焼量を弱燃焼に固定して運転し、その後温度検知装置（８ａ）、（８ｂ）の検知する温度が所定温度Ｔｂ以下を検知したとき、異常警告表示器（９）を消灯するとともに燃焼部（４）の燃焼量を通常の燃焼量の運転に復帰させるように制御部（７）で制御することを特徴とする請求項１記載の燃焼温風暖房機。
【発明の詳細な説明】
【技術分野】
【０００１】
本発明は、液体燃料を燃焼させて部屋を暖める燃焼温風暖房機における異常過熱時の安全装置に関するものである。
【背景技術】
【０００２】
従来のこの種の燃焼温風暖房機は、例えば図４のような構成のものがある。
【０００３】
空気取入口であるファンガード２１にファンモータ２２が設けられ、取り入れた空気はダクト２３内に設けられた燃焼部２４により暖められ、ルーバ２５を介して温風として放出している。
【０００４】
そして、ルーバ２５やファンガード２１が布団やカーテン等の障害物により閉塞された時、ダクト２３が異常過熱するが、それをダクト２３の近傍に設けた温度過昇防止装置２６が作動温度Ｔｏｆｆ以上になることで検知し、燃焼部２４の燃焼を強制的に停止させることでダクト２３の異常過熱を防止し安全性を確保している。
【０００５】
また、ダクト２３が異常過熱した場合、温度過昇防止装置２６の作動で燃焼を停止させる前にその近傍に設けた温度検知装置２７により所定温度Ｔ０以上となったことを検知し、燃焼部２４の燃焼を一時的に停止させ温風温度を低下させ、所定時間ｔ０経過した後に通常運転とは異なる特定の運転条件で運転を自動的に再開させることでダクト２３の異常温度上昇を抑制するように制御部２８で制御している（例えば、特許文献１参照）。
【０００６】
【特許文献１】特開２００２−２４３１４６号公報
【発明の開示】
【発明が解決しようとする課題】
【０００７】
しかしながら、上記従来の燃焼温風暖房機において、ルーバ２５が布団等により中途半端に塞がれた場合に、ダクト２３は温度過昇防止装置２６が作動する温度にまで至らず高温状態で安定してしまうと、高温の温風に布団がさらされるため、布団の材質によっては発煙、発火の恐れがある。そこで温度過昇防止装置２６とは別に設けた温度検知装置２７で、ダクト２３の異常過熱を温度過昇防止装置２６より低い温度で検知して、ダクト２３の異常過熱を防止するように燃焼を一時的に停止させるようにしているが、ルーバ２５が布団等により中途半端に塞がれて温風がルーバ２５の上部や下部の本体の隙間から本体内に回り込んだときの異常過熱温度を温度検知装置２７が必ずしも感度良く検知できるものではないため、高温の温風に布団等がさらされることが有り、安全性に問題があった。
【０００８】
また、燃焼温風暖房機を絨毯等を敷いた部屋で使用した場合、短期間でホコリがファンガード２１に詰まる場合があるが、ここでファンガード２１の掃除を適切にしないと温度検知装置２７の検知により過熱防止のため頻繁に燃焼運転が停止することがあり、使用者に不信感を与える上、使い勝手も悪いという問題があった。
【課題を解決するための手段】
【０００９】
本発明は上記の問題を解決するためになされたものであり、請求項１は本体の内部に設けられたダクトと、このダクト内に設けられた燃焼部と、前記ダクトに空気を送風するファンモータと、前記燃焼部により暖められた温風の放出部に設けられたルーバと、燃焼部の燃焼量とファンモータの送風量を制御する制御部とを備えた燃焼温風暖房機において、ルーバの近傍の上部と下部の少なくとも２箇所以上に温度検知装置を設け、この温度検知装置が所定温度Ｔａ以上を検知したとき、燃焼部の燃焼量を強制的に弱燃焼に固定して運転するように上記制御部で制御するものである。
【００１０】
請求項２では、本体の外郭に異常警告表示器を設け、温度検知装置が所定温度Ｔａ以上を検知したとき、異常警告表示器を点灯するとともに燃焼部の燃焼量を弱燃焼に固定して運転し、その後温度検知装置の検知する温度が所定温度Ｔｂ以下を検知したとき、異常警告表示器を消灯するとともに燃焼部の燃焼量を通常の燃焼量の運転に復帰させるように制御部で制御するものである。
【発明の効果】
【００１１】
本発明の燃焼温風暖房機は、ルーバの近傍の上部と下部の少なくとも２箇所以上に温度検知装置を設け、この温度検知装置が所定温度Ｔａ以上を検知したとき、燃焼部の燃焼量を強制的に弱燃焼に固定して運転するように制御部で制御するようにしたことにより、ルーバが布団等により中途半端に塞がれた場合、その塞がれ方によって温風の流れが本体の下方に多く回り込む場合や、上方に多く回り込む場合といった場合に、そのルーバの上部や下部の本体の隙間から本体内に回り込む温風によりルーバの近傍に設けた温度検知装置により感度良く異常過熱温度を検知することができるため、布団等が高温の温風に長時間さらされることがなく、発煙、発火の恐れの無い安全性に優れた燃焼温風暖房機を提供することができる。
【００１２】
また、ファンガードがホコリやカーテン等で中途半端に閉塞された場合、ダクトの異常過熱温度が温度過昇防止装置が作動しない温度であっても、温度検知装置により異常過熱状態を検知することにより、燃焼量を弱燃焼で固定して制御することができるため、頻繁に燃焼運転が停止することがなく、使用者に不信感を与えることが無い燃焼温風暖房機を提供することができる。
【００１３】
また、温度検知装置が所定温度Ｔａ以上を検知したとき、異常警告表示器を点灯するとともに燃焼部の燃焼量を弱燃焼に固定して運転し、その後温度検知装置の検知する温度が所定温度Ｔｂ以下を検知したとき、異常警告表示器を消灯するとともに燃焼部の燃焼量を通常の燃焼量の運転に復帰させるように制御部で制御することにより、使用者が異常警告表示器の点灯に気付いてルーバを塞いでいた布団を除去すれば、弱燃焼の固定運転が解除され通常の燃焼量の運転に戻るため、使用者はわざわざ一旦運転を停止させる必要がなく使い勝手が良い燃焼温風暖房機を提供することができる。
【発明を実施するための最良の形態】
【００１４】
以下本発明の一実施例を図１〜図３を参照して説明する。
【００１５】
図１は本発明の一実施例を示す燃焼温風暖房機の側面縦断面図、図２は同じく温風の流れを説明する説明図、図３は同じく制御動作状態を示すフローチャートである。
【００１６】
図において、１０は燃焼温風暖房機の本体、３は本体１０の内部に設けられたダクト、４はダクト３内に設けられた燃焼部、２はダクト３に空気を送風するファンモータ、５はルーバであり燃焼部４で発生した燃焼排ガスとファンモータ２で取り入れられ燃焼部４で暖められた温風を放出するダクト３の放出部に設けられている。
【００１７】
６は温度過昇防止装置で、燃焼部４の近傍のダクト３に設けられていてサーモスタットで構成されており、作動温度Ｔｏｆｆ以上を検知すると作動して燃焼部４の燃焼を停止し、ダクト３の異常過熱を防止するように動作するものである。
【００１８】
８ａ、８ｂは温度検知装置で、ルーバ５の近傍のダクト３の上部と下部の２箇所に設けられており、特にルーバ５が布団等の障害物に中途半端に塞がれたような場合に、放出される温風がルーバ５の上部や下部の本体１０の隙間から本体１０内に回り込むことによる温度上昇を検知するためのものである。９は異常警告表示器で、温度検知装置８ａ、８ｂが所定温度Ｔａ以上を一定時間ｔａ以上検知したことを表示するもので、使用者に警告を促すことができるように本体１０の外郭の見えやすい場所に設けてある。
【００１９】
７は制御部で燃焼部４の燃焼量とファンモータ２の送風量を制御するとともに、温度過昇防止装置６の作動により燃焼部４の燃焼を停止したり、温度検知装置８ａ、８ｂの検知する温度が所定温度Ｔａ以上か、または所定温度Ｔｂ以下かを判定するとともに所定温度Ｔａ以上が一定時間ｔａ継続したかどうかを判定し、燃焼部４の燃焼量を強制的に弱燃焼とするように動作させたり、所定温度Ｔｂ以下を一定時間ｔｂ以上継続したかどうかを判定し、通常の燃焼量の通常運転に戻すように動作させるものである。そして、所定温度Ｔａの値は温度過昇防止装置６の作動温度Ｔｏｆｆより低めに設定し、温風が異常に温度上昇を開始したことを検知することができる値としている。
【００２０】
本発明は以上の構成より成り、次にその作用を図３のフローチャートにより説明する。
【００２１】
燃焼温風暖房機が通常に運転中に誤ってルーバ５が布団等により塞がれた場合、温風が放出されなくなりダクト３内が急激に過熱され、温度上昇するとともに本体１０内の各部も異常過熱される状態３０１になる。
【００２２】
そして、異常過熱状態を温度検知装置８ａ、８ｂが所定温度Ｔａ以上を３０２で検知すると、３０３でタイマーをスタートさせ、３０４と３０５で温度過昇防止装置６と温度検知装置８ａ、８ｂの検知温度を監視する。
【００２３】
そして、一定時間ｔａ経過する前に温度過昇防止装置６が作動温度Ｔｏｆｆ以上を３０４で検知すると、３０６でタイマーをリセットするとともに燃焼部４の燃焼を停止させて安全性を確保する。
【００２４】
次に、ルーバ５が布団等により中途半端に塞がれた場合は、その塞がれ方によって温風の流れが本体１０の下方に多く回り込む場合や、上方に多く回り込む場合といった場合に、そのルーバ５の上部や下部の本体１０の隙間から本体１０内に回り込む温風によりルーバ５の近傍のダクト３が異常過熱して温度が上昇し、温度検知装置８ａ、８ｂが所定温度Ｔａ以上を３０２で検知するようになる。
【００２５】
そうすると、３０３でタイマーをスタートさせ、３０４と３０５で温度過昇防止装置６と温度検知装置８ａ、８ｂの検知温度を監視するようになる。そして、このようにルーバ５が中途半端に塞がれた状態では、温度過昇防止装置６が作動温度Ｔｏｆｆ以上を検知しない場合があり、この場合は３０７でタイマー時間ｔａ経過を検知すると、３０９で燃焼部４の燃焼量を強制的に弱燃焼で固定して運転するように制御部７で制御するとともに、異常警告表示器９を点灯して使用者に警告を促しながら、温風温度を低下させるように制御する。これによりルーバ５を中途半端に塞いでいる布団が高温の温風に長時間さらされ熱くなり、発煙、発火といった危険な状態にならないようにすることができる。
【００２６】
そして、このような状態において、もし温度過昇防止装置６が作動温度Ｔｏｆｆ以上を３１０で検知した場合は、３０６で燃焼部４の燃焼を停止させて安全性を確保する。
【００２７】
そして、燃焼部４を弱燃焼で固定して運転している間は異常警告表示器９の点灯を継続して行ない、使用者がこの表示に気付いてルーバ５を塞いでいた布団を除去した場合は、本体１０内部の温度は正常に戻っていき、２箇所に設けた温度検知装置８ａ、８ｂの全てが所定温度Ｔｂ以下を３１１で検知すると、３１２でタイマーをスタートさせ、温度検知装置８ａ、８ｂの全てが所定温度Ｔｂ以下を一定時間ｔｂ以上継続するのを３１３、３１５で判定すると、３１６で異常警告表示器９を消灯するとともにタイマーをリセットし、通常の燃焼量の通常運転に戻すように動作する。
【００２８】
また、弱燃焼の固定運転中に運転を停止すると、運転再開後は異常警告表示器９の表示を消灯し、弱燃焼の固定運転は解除し、通常の燃焼量で制御される運転を行う。
【００２９】
また、ファンガード１がホコリやカーテン等で中途半端に閉塞された場合は、ダクト３の異常過熱温度が温度過昇防止装置６が作動しない温度であっても、温度過昇防止装置６の検知温度より低い温度で検知する温度検知装置８ａ、８ｂにより異常過熱状態を検知することにより、同様に燃焼量を弱燃焼で固定して運転を行う。
【００３０】
このように、ルーバ５が布団等により中途半端に塞がれた場合、この塞がれ方によって温風の流れが本体１０の下方に多く回り込む場合や、上方に多く回り込む場合といった場合に、そのルーバ５の上部や下部の本体１０の隙間から本体１０内に回り込む温風によりルーバ５の近傍のダクト３の異常過熱を温度検知装置８ａ、８ｂで所定温度Ｔａ以上をＴａ時間検知すると、燃焼量を強制的に弱燃焼で固定して運転することができるため、布団等が高温の温風に長時間さらされることがなくなり、発煙、発火の恐れを無くすことができる。
【００３１】
また、ファンガード１がホコリやカーテン等で中途半端に閉塞された場合は、ダクト３の異常過熱温度が温度過昇防止装置６が作動しない温度であっても、温度過昇防止装置６の検知温度より低い温度で検知する温度検知装置８ａ、８ｂにより異常過熱状態を検知することにより、同様に燃焼量を弱燃焼で固定して制御することができるため、頻繁に燃焼運転が停止することがなく、使用者に不信感を与えたり、使い勝手が悪いという問題を無くすことができる。
【００３２】
また、温度検知装置８ａ、８ｂが所定温度Ｔａ以上を検知したとき、異常警告表示器９を点灯するとともに燃焼部４の燃焼量を弱燃焼に固定して運転し、その後温度検知装置８ａ、８ｂの検知する温度が所定温度Ｔｂ以下を検知したとき、異常警告表示器９を消灯するとともに燃焼部４の燃焼量を通常の燃焼量の運転に復帰させるように制御部７で制御するようにしたことにより、使用者が異常警告表示器の点灯に気付いてルーバを塞いでいた布団を除去すれば、弱燃焼の固定運転が解除され通常の燃焼量の運転に戻るため、使用者がわざわざ一旦運転を停止させる必要がなく、燃焼運転が継続されるため使い勝手が非常に良くすることができる。
【図面の簡単な説明】
【００３３】
【図１】本発明の一実施例を示す燃焼温風暖房機の側面縦断面図である。
【図２】同じく温風の流れを説明する説明図である。
【図３】同じく制御動作状態を示すフローチャートである。
【図４】従来の燃焼温風暖房機の側面縦断面図である。
【符号の説明】
【００３４】
２  ファンモータ
３  ダクト
４  燃焼部
５  ルーバ
７  制御部
８ａ、８ｂ  温度検知装置
９  異常警告表示器
１０  本体
【図１】
2005090899.tif 000003
【図２】
2005090899.tif 000004
【図３】
2005090899.tif 000005
【図４】
2005090899.tif 000006